(57)【特許請求の範囲】
【請求項１】
天井設置型の空気調和装置の室内機（１）であって、
室内機本体（２）と、
前記室内機本体（２）にロックされたロック状態と前記室内機本体（２）に対するロックが解除されたロック解除状態とを採り得ると共に、前記ロック解除状態を採る場合には前記室内機本体（２）の下方に下降可能なパネル（３）と、
前記パネル（３）の上昇指示を受付可能な指示受付部（６）と、
前記パネル（３）のロック解除状態時、前記室内機（１）の電源が投入されてから前記指示受付部（６）が前記パネル（３）の上昇指示を受け付けるまでは前記パネル（３）を動作させないようにすると共に、前記室内機（１）の電源が投入された後に前記パネル（３）の上昇指示が受け付けられた場合には前記パネル（３）が上昇するように、前記パネル（３）の動作を制御するパネル動作制御部（１１）と、
を備える、空気調和装置の室内機（１）。
【請求項２】
前記パネル（３）が第１所定位置に位置することを検知する第１検知部（４ａ，４ｂ）を更に備え、
前記パネル動作制御部（１１）は、前記パネル（３）が前記第１所定位置に達したことを前記第１検知部（４ａ，４ｂ）が検知するまで前記パネル（３）を上昇させる、
請求項１に記載の空気調和装置の室内機（１）。
【請求項３】
前記第１所定位置は、前記室内機本体（２）の下面付近である、
請求項２に記載の空気調和装置の室内機（１）。
【請求項４】
前記室内機本体（２）の下面には、室内空気の吸い込み口（２１）が形成され、
前記パネル（３）は、前記ロック状態を採る場合には前記パネル（３）の一端部を昇降することで前記吸い込み口（２１）を開閉することが可能であって、
前記パネル動作制御部（１１）は、
前記パネル（３）のロック状態時に前記室内機（１）の電源が投入された場合、前記パネル（３）の一端部を所定距離下降させ、
前記パネル（３）の一端部が前記所定距離下降後、前記パネル（３）の一端部を上昇させる、
請求項１〜３のいずれかに記載の空気調和装置の室内機（１）。
【請求項５】
前記パネル（３）の一端部が第２所定位置に位置することを示す第１検知結果、または前記パネル（３）の一端部が前記第２所定位置に位置しないことを示す第２検知結果を出力する第２検知部（４ａ，４ｂ）を更に備え、
前記所定距離は、前記第２検知部（４ａ，４ｂ）の出力が前記第１検知結果から前記第２検知結果に変化するまでの間に前記パネル（３）が下降する距離である、
請求項４に記載の空気調和装置の室内機（１）。
【請求項６】
前記パネル（３）の一端部が第３所定位置に位置することを検知する第３検知部（４ａ，４ｂ）を更に備え、
前記パネル動作制御部（１１）は、前記パネル（３）の一端部が前記所定距離下降後、前記パネル（３）の一端部が前記第３所定位置に達したことを前記第３検知部（４ａ，４ｂ）が検知するまで、前記パネルの一端部（３）を上昇させる、
請求項４または５に記載の空気調和装置の室内機（１）。
【請求項７】
前記第２所定位置及び前記第３所定位置は、前記室内機本体（２）の下面付近である、
請求項６に記載の空気調和装置の室内機（１）。
【発明の詳細な説明】
【技術分野】
【０００１】
本発明は、空気調和装置の室内機、特に、天井設置型の空気調和装置の室内機に関する。
【背景技術】
【０００２】
従来より、天井に設置される空気調和装置の室内機としては、例えば特許文献１〜特許文献３に開示されているように、本体の下面に吸い込み口や吹き出し口を有するものが良く知られている。そして、室内機の本体の下面には、吸い込み口を開閉するためのパネルが設けられている。このパネルは、ワイヤにより室内機本体から吊り下げられることが可能となっている。
【０００３】
また、上述したような空気調和装置には、例えば空調運転時や停止時においてパネルが室内機本体にロックされた状態となり、吸い込み口を開閉するものがある。また、このような空気調和装置のパネルは、室内機のメンテナンス時には、室内機本体に対するロックが解除された状態を採り、室内機本体の下方に下降することができる。
【特許文献１】特開２００５−１５６０８３号公報
【特許文献２】特開２００７−４０６８９号公報
【特許文献３】特開平１０−１９６９９９号公報
【発明の開示】
【発明が解決しようとする課題】
【０００４】
ところで、パネルがロック解除状態であって室内機本体の下方に下降した状態にある時に、室内機の電源が投入されると、パネルは一旦上昇して室内機本体に収納されてから次の動作に移行するための、いわゆるイニシャライズ処理を開始することが普通考えられる。しかしながら、この場合において、例えば室内機の利用者がパネルと室内機本体との間で作業をしていると、利用者は、上昇するパネルに接触し、危険である。
【０００５】
そこで、本発明は、上昇するパネルに利用者が接触する危険性を回避することができる空気調和装置の室内機の提供を目的とする。
【課題を解決するための手段】
【０００６】
発明１に係る空気調和装置の室内機は、天井設置型の空気調和装置の室内機であって、室内機本体と、パネルと、指示受付部と、パネル動作制御部とを備える。パネルは、室内機本体にロックされたロック状態と、室内機本体に対するロックが解除されたロック解除状態とを採り得る。そして、パネルは、ロック解除状態を採る場合には、室内機本体の下方に下降することが可能である。指示受付部は、パネルの上昇指示を受付可能である。パネル動作制御部は、パネルのロック解除状態時、室内機の電源が投入されてから指示受付部がパネルの上昇指示を受け付けるまではパネルを動作させないようにすると共に、室内機の電源が投入された後にパネルの上昇指示が受け付けられた場合にはパネルが上昇するように、パネルの動作を制御する。
【０００７】
この空気調和装置の室内機によると、パネルがロック解除状態であり室内機本体の下方に位置する状態において、室内機の電源が投入されても、パネルの上昇指示を受け付けるまではパネルは動作しないが、室内機の電源が投入された後にパネルの上昇指示が受け付けられた場合には、パネルは上昇する。ここで、パネルの上昇指示は、例えば室内機の利用者によりリモートコントローラ等を介してなされる。従って、室内機の利用者がパネルと室内機本体との間で作業をしている時に、他の人によって室内機の電源が投入されたとしても、パネルが自動的に上昇するいわゆるイニシャライズ処理がなされることがないため、上昇するパネルに利用者が接触する危険性を回避することができる。
【０００８】
発明２に係る空気調和装置の室内機は、発明１に係る空気調和装置の室内機であって、第１検知部を更に備える。第１検知部は、パネルが第１所定位置に位置することを検知する。そして、パネル動作制御部は、パネルが第１所定位置に達したことを第１検知部が検知するまで、パネルを上昇させる。
【０００９】
ここで、第１検知部が、パネルが第１所定位置に位置してない時にはオフ信号を出力し、パネルが第１所定位置に位置している時にはオン信号を出力する場合を考える。この場合、パネル動作制御部は、例えば第１検知部の検知結果がオフ信号のままである時には、パネルが十分に上昇していないと判断し、パネルの上昇動作を継続させる。また、パネル動作制御部は、検知結果がオフ信号からオン信号に切り替わった場合、パネルが十分に上昇したと判断し、パネルの上昇動作を停止させる。これにより、パネルは、確実に第１所定位置まで上昇することができる。
【００１０】
発明３に係る空気調和装置の室内機は、発明２に係る空気調和装置の室内機であって、第１所定位置は、室内機本体の下面付近である。
【００１１】
これにより、パネルは、第１所定位置、即ち室内機本体の下面付近に至るまで上昇することができる。
【００１２】
発明４に係る空気調和装置の室内機は、発明１〜３のいずれかに係る空気調和装置の室内機であって、室内機本体の下面には、室内空気の吸い込み口が形成されている。パネルは、ロック状態を採る場合には、パネルの一端部を昇降することで吸い込み口を開閉することが可能である。そして、パネル動作制御部は、パネルのロック状態時に室内機の電源が投入された場合、パネルの一端部を所定距離下降させる。そして、パネル動作制御部は、パネルの一端部が所定距離下降後、パネルの一端部を上昇させる。
【００１３】
この空気調和装置の室内機によると、パネルが室内機本体にロックされた状態で室内機の電源が投入された場合、パネルの一端部は、所定距離下降する。即ち、先ずは、パネルは、室内機本体の吸い込み口を開放するような動作を行う。そしてその後、パネルの一端部は、上昇する。即ち、パネルは、室内機本体の吸い込み口を開放するような動作を行った後、吸い込み口を閉じるような動作を行う。従って、例えばパネルが室内機本体に完全に収納された状態であって、パネルの一端部の上昇動作が完了しないためにパネルが次の動作（例えばパネルの下降動作等）に移行できないような場合を防ぐことができる。
【００１４】
発明５に係る空気調和装置の室内機は、発明４に係る空気調和装置の室内機であって、第２検知部を更に備える。第２検知部は、パネルの一端部が第２所定位置に位置することを示す第１検知結果、またはパネルの一端部が第２所定位置に位置しないことを示す第２検知結果を出力する。そして、所定距離は、第２検知部の出力が第１検知結果から第２検知結果に変化するまでの間に、パネルが下降する距離である。
【００１５】
この空気調和装置の室内機によると、パネルの一端部は、第２検知部の出力が第１検知結果から第２検知結果に変化する分（即ち、所定距離）下降する。従って、パネルの一端部を、確実に所定距離下降させることができる。
【００１６】
発明６に係る空気調和装置の室内機は、発明４または５に係る空気調和装置の室内機であって、第３検知部を更に備える。第３検知部は、パネルの一端部が第３所定位置に位置することを検知する。そして、パネル動作制御部は、パネルの一端部が所定距離下降後、パネルの一端部が第３所定位置に達したことを第３検知部が検知するまで、パネルの一端部を上昇させる。
【００１７】
ここで、第３検知部が、パネルの一端部が第３所定位置に位置してない時にはオフ信号を出力し、パネルの一端部が第３所定位置に位置している時にはオン信号を出力する場合を考える。この場合、パネル動作制御部は、例えば第３検知部の検知結果がオフ信号のままである時には、パネルの一端部が十分に上昇していないと判断し、パネルの一端部の上昇動作を継続させる。また、パネル動作制御部は、検知結果がオフ信号からオン信号に切り替わった場合、パネルの一端部が十分に上昇したと判断し、パネルの一端部の上昇動作を停止させる。これにより、パネルの一端部は、確実に第３所定位置まで上昇することができる。
【００１８】
発明７に係る空気調和装置の室内機は、発明６に係る空気調和装置の室内機であって、第２所定位置及び第３所定位置は、室内機本体の下面付近である。
【００１９】
この空気調和装置の室内機によると、室内機本体の下面付近である第２所定位置より下にパネルが下降したか否かを容易に判断することができる。また、この室内機によると、一端部が所定距離降下したパネルを、室内機本体の下面付近である第３所定位置まで確実に上昇させることができる。
【発明の効果】
【００２０】
発明１に係る空気調和装置の室内機によると、室内機の利用者がパネルと室内機本体との間で作業をしている時に、他の人によって室内機の電源が投入されたとしても、パネルが自動的に上昇するいわゆるイニシャライズ処理がなされることがないため、上昇するパネルに利用者が接触する危険性を回避することができる。
【００２１】
発明２に係る空気調和装置の室内機によると、パネルは、確実に第１所定位置まで上昇することができる。
【００２２】
発明３に係る空気調和装置の室内機によると、パネルは、第１所定位置、即ち室内機本体の下面付近に至るまで上昇することができる。
【００２３】
発明４に係る空気調和装置の室内機によると、例えばパネルが室内機本体に完全に収納された状態であって、パネルの一端部の上昇動作が完了しないためにパネルが次の動作（例えばパネルの下降動作等）に移行できないような場合を防ぐことができる。
【００２４】
発明５に係る空気調和装置の室内機によると、パネルの一端部を、確実に所定距離下降させることができる。
【００２５】
発明６に係る空気調和装置の室内機によると、パネルの一端部は、確実に第３所定位置まで上昇することができる。
【００２６】
発明７に係る空気調和装置の室内機によると、室内機本体の下面付近である第２所定位置より下にパネルが下降したか否かを容易に判断することができる。また、この室内機によると、一端部が所定距離降下したパネルを、室内機本体の下面付近である第３所定位置まで確実に上昇させることができる。
【発明を実施するための最良の形態】
【００２７】
以下、本発明に係る空気調和装置の室内機について、図面を用いて説明する。
【００２８】
（１）構成
図１（ａ）〜（ｃ）は、本実施形態に係る空気調和装置の室内機１の斜視図である。図２は、図１の室内機１の内部の構成を、室内機１の第１側面２ａ側から見た場合の概略図である。この室内機１は、天井設置型の室内機であって、暖房運転や冷房運転等の空調運転、フィルタ清掃運転等を行うことができる。ここで、フィルタ清掃運転とは、後述するフィルタ２５が捕集した塵埃をフィルタ２５から剥離させるための運転である。
【００２９】
室内機１は、図１〜図８に示すように、主として、本体２（室内機本体に相当）、フラットパネル３（パネルに相当）、収納検知リミットスイッチ４ａ，４ｂ（第１検知部、第２検知部、第３検知部に相当）、水平フラップ５、受信部６（指示受付部に相当）、運転状態表示部７、パネルロック機構８ａ，８ｂ、パネル昇降駆動部９ａ，９ｂ及び制御部１０を備える。
【００３０】
尚、以下では、例えば本体２の「下方」のように、「上」、「下」等の方向を示す表現を適宜用いているが、これらは室内機１が図１に示すように室内の天井に取り付けられ、通常使用される状態での各方向を表す。
【００３１】
〔本体〕
本体２は、図１のＷ方向に長い箱状の形状を有しており、下面として化粧パネル２ｂを有している。化粧パネル２ｂには、図１及び図２に示すように、吸い込み口２１と吹き出し口２２とが１つずつ形成されている。吸い込み口２１は、室内の空気が吸い込まれるための開口であって、吹き出し口２２は、吸い込み口２１から吸い込まれ室内熱交換器２４により熱交換された後の空気が室内へ吹き出されるための開口である。吸い込み口２１及び吹き出し口２２は、本体２の長手方向（即ち、Ｗ方向）に沿って細長い略矩形状の形状を有している。そして、吸い込み口２１の面積は、吹き出し口２２の面積よりも大きい。
【００３２】
本体２の内部には、図２に示すように、主として、送風ファン２３、室内熱交換器２４、フィルタ２５、フィルタ清掃機構２６等が収容されている。送風ファン２３は、吸い込み口２１から吹き出し口２２への空気の流れを生成するためのものである。送風ファン２３は、ファンモータ２３ａ（図８）と接続されており、ファンモータ２３ａにより回転駆動される。室内熱交換器２４は、室内の空気と熱交換を行うためのものである。フィルタ２５は、吸い込み口２１の上方に設けられており、吸い込み口２１を通過した空気中の塵埃を捕集する。フィルタ清掃機構２６は、フィルタ２５を図２の矢印Ａまたは矢印Ｂの方向へ移動させるためのフィルタ移動部２７や、フィルタ２５が捕集した塵埃をフィルタ２５から掻き出すブラシ２８、ブラシ２８により掻き出された塵埃を貯めるダストボックス２９等で構成される。尚、フィルタ移動部２７やブラシ２８は、これらの駆動源として機能するフィルタ清掃駆動部２６ａ（図８）と接続されており、フィルタ清掃駆動部２６ａにより駆動される。
【００３３】
また、本体２の内部には、収納検知リミットスイッチ４ａ，４ｂ、パネルロック機構８ａ，８ｂ、パネル昇降駆動部９ａ，９ｂ及び制御部１０が収容されているが、これらについては後述する。
【００３４】
〔フラットパネル〕
フラットパネル３は、図１に示すように、吸い込み口２１と同様、本体２のＷ方向に沿って細長い略矩形状の形状を有している。このフラットパネル３は、図１（ｂ）や図５（ｂ）に示すように、本体２に対し回動自在に取り付けられることが可能である。また、フラットパネル３は、図１（ｃ）や図５（ｃ）に示すように、パネル昇降駆動部９ａ，９ｂにおける２本のワイヤ９１ａ，９１ｂ（後述）により吊り上げられている。
【００３５】
具体的に、フラットパネル３は、吸い込み口２１付近に位置する場合、パネルロック機構８ａ，８ｂにより本体２に対しロックされたロック状態を採る。ここで、フラットパネル３がロック状態を採る場合としては、図１（ａ）や図５（ａ）に示すように、フラットパネル３が本体２に収納され吸い込み口２１を閉じている状態や、図１（ｂ）や図５（ｂ）に示すように、フラットパネル３が吹き出し口２２側の端部３ａを中心として本体２に対し回動可能となる状態が挙げられる。言い換えると、本実施形態に係るフラットパネル３は、ロック状態を採る場合、図１（ｃ）及び図５（ｂ）に示すように、フラットパネル３の端部３ａを軸として端部３ｂ（一端部に相当）が上昇及び下降することで、吸い込み口２１を開閉することができる。特に、フラットパネル３が本体２に対し回動する場合には、フラットパネル３は、パネル回動用モータ３２の出力軸に連結された回動軸３１を中心として回動し（図３）、吸い込み口２１を開閉することができる（図１（ｂ），図５（ｂ））。
【００３６】
ここで、本実施形態では、フラットパネル３の回動軸３１が、フラットパネル３本体にあるのではなく、本体２の化粧パネル２ｂ側に設けられている場合を例に採る。具体的に、回動軸３１は、化粧パネル２ｂにおける吸い込み口２１の長辺のうち、吹き出し口２２に近い長辺の両端部分に設けられている。回動軸３１は、パネルロック機構８ａ，８ｂの把持部８１ａ，８１ｂ（後述）により把持されることでフラットパネル３に連結された状態となり、これによりフラットパネル３は本体２にロックされる。即ち、回動軸３１は、フラットパネル３がロック状態を採る場合、フラットパネル３が本体２に対し回動可能となるように、フラットパネル３と本体２とを連結する役割を担う。そして、フラットパネル３と本体２とが回動軸３１により連結された後に、パネル回動用モータ３２が回転駆動することで、フラットパネル３は、本体２に対し所定角度回動して吸い込み口２１を開放することができる。尚、フラットパネル３が吸い込み口２１を開放すると、室内の空気は、図１（ｂ）の矢印Ｃの方向から吸い込み口２１を介して本体２の内部に送られる。
【００３７】
尚、フラットパネル３がロック状態を採るその他の場合としては、図４に示すように、フラットパネル３の一部が本体２にロックされた、いわゆる異常状態が挙げられる。即ち、フラットパネル３の異常状態とは、２つの回動軸３１のうち１つがフラットパネル３と本体２とを連結しているが、もう１の回動軸３１はフラットパネル３と本体２とを連結していない状態をいう。
【００３８】
また、フラットパネル３は、本体２に対するロックが解除されたロック解除状態を採ることができる。即ち、フラットパネル３のロック解除状態とは、２つの回動軸３１が共にフラットパネル３に連結されていない状態であって、かつ２本のワイヤ９１ａ，９１ｂによりフラットパネル３が本体２から吊り下げられている状態をいう。この場合、図１（ｃ）や図５（ｃ）に示すように、ワイヤ９１ａ，９１ｂの繰り出し及び巻き取りが行われることで、フラットパネル３は、フラットパネル３全体として吸い込み口２１の下方に下降したり上昇したりすることができる。
【００３９】
このようなフラットパネル３は、室内機１の運転停止時や運転時（空調運転や、フィルタ清掃運転時）には、吸い込み口２１付近に位置し、ロック状態を採る（例えば図１（ａ）（ｂ））。そして、室内機１のメンテナンス時には、ロック解除状態を採り、吸い込み口２１の下方に下降する（図１（ｃ））。
【００４０】
〔収納検知リミットスイッチ〕
収納検知リミットスイッチ４ａ，４ｂは、図５に示すように、化粧パネル２ｂの吸い込み口２１付近に２つ設けられている。より具体的には、２つの収納検知リミットスイッチ４ａ，４ｂは、吸い込み口２１の長辺のうち吹き出し口２２と離れている長辺に沿うようにして、互いに所定距離離れて設けられている。
【００４１】
各収納検知リミットスイッチ４ａ，４ｂは、フラットパネル３が化粧パネル２ｂにおける吸い込み口２１付近の位置Ｐ（図２参照。第１所定位置、第２所定位置及び第３所定位置に相当）に位置することを検知する。より詳細には、収納検知リミットスイッチ４ａ，４ｂは、フラットパネル３の端部３ｂが位置Ｐにある場合、オン信号（第１検知結果に相当）を出力する。逆に、フラットパネル３の端部３ｂが位置Ｐにない場合（例えば、図２の位置Ｒや位置Ｑに位置する場合）、収納検知リミットスイッチ４ａ，４ｂは、オフ信号（第２検知結果に相当）を出力する。従って、フラットパネル３が図１（ａ）に示すように位置している場合には、各収納検知リミットスイッチ４ａ，４ｂは、共にオン信号を出力する。フラットパネル３が図１（ｂ）や（ｃ）に示すように位置している場合には、各収納検知リミットスイッチ４ａ，４ｂは、共にオフ信号を出力する。このようにして収納検知リミットスイッチ４ａ，４ｂにより出力されたオン信号及びオフ信号は、制御部１０に取り込まれる。
【００４２】
尚、図１（ａ）〜（ｃ）や図５（ａ）〜（ｃ）に示すように、フラットパネル３が本体２の化粧パネル２ｂに対し略平行である場合には、収納検知リミットスイッチ４ａ，４ｂは、共に同じ信号を出力する。しかし、図４に示すように、フラットパネル３が化粧パネル２ｂに対し平行ではなく、異常状態を採る場合には、収納検知リミットスイッチ４ａ，４ｂは、互いに異なる信号を出力する。
【００４３】
〔水平フラップ〕
水平フラップ５は、吹き出し口２２から吹き出される空気を、図１（ｂ）の矢印Ｄの方向に案内するためのものであって、吹き出し口２２を開閉可能に設けられている。水平フラップ５は、運転停止時及び室内機１のメンテナンス時には吹き出し口２２を閉じる姿勢を採っている（図１（ａ）（ｃ））。また、水平フラップ５は、室内機１が空調運転を行っている時には、吸い込み口２１側の端部を軸として回動し、吹き出し口２２を開放する姿勢を採っている（図１（ｂ））。このような水平フラップ５は、モータやギア（いずれも図示せず）等により回転駆動される。
【００４４】
〔受信部〕
受信部６は、図１に示すように、本体２の化粧パネル２ｂに設けられている。受信部６は、リモートコントローラから送られてくる各種運転の開始指示や、各種設定等を受信可能なように設けられている。例えば、受信部６は、冷暖房運転等の空調運転の開始指示や室内の設定温度を、リモートコントローラを介して受け付けることができる。また、受信部６は、フラットパネル３の昇降指示を、リモートコントローラを介して受け付けることができる。
【００４５】
尚、本実施形態では、冷暖房運転等の空調運転の開始及び停止指示と、メンテナンス時におけるフラットパネル３の昇降指示やフィルタ清掃運転の開始指示とが、それぞれ別々のリモートコントローラを介して送られる場合を例に取る。図６（ａ）は、空調運転の開始及び停止指示が利用者によりなされる際に用いられるリモートコントローラの外観を示している。図６（ｂ）は、フラットパネル３の昇降指示やフィルタ清掃運転の開始指示が利用者によりなされる際に用いられるリモートコンローラの外観を示している。
【００４６】
〔運転状態表示部〕
運転状態表示部７は、受信部６と同様、本体２の化粧パネル２ｂに設けられている。運転状態表示部７は、例えばＬＥＤで構成され、室内機１の運転状況に応じて点灯や点滅を行う。
【００４７】
例えば、運転状態表示部７は、フラットパネル３が図１（ｂ）に示すように本体２に対し所定角度回動した状態であって、空調運転が行われる場合には、緑色に点灯する。運転状態表示部７は、フラットパネル３が図１（ａ）に示すように吸い込み口２１を閉じている状態であって、フィルタ２５の清掃運転が行われている場合には、橙色に点灯する。また、運転状態表示部７は、フラットパネル３の昇降動作（即ち、フラットパネル３が図１（ｃ）に示すように吸い込み口２１の下方に下降したり上昇したりする動作）が禁止されている状態時に、受信部６がフラットパネル３の昇降指示を受け付けた場合、赤色で点灯する。このように、室内機１の運転状態に応じて運転状態表示部７の点灯する色を変えることで、室内機１の利用者は、室内機１の現在の運転状態を確認することができる。ここで、フラットパネル３の昇降動作が禁止されている場合としては、例えばパネルロック機構８ａ，８ｂやパネル昇降駆動部９ａ，９ｂが故障している場合等が挙げられる。
【００４８】
更に、運転状態表示部７は、空調運転の開始指示を受信部６が受信した時に、フラットパネル３がロック解除状態であれば（例えば、図１（ｃ））、赤色で点滅する。これにより、室内機１の利用者は、フラットパネル３がロック解除状態で空調運転が行われる旨を知ることができる。
【００４９】
〔パネルロック機構〕
パネルロック機構８ａ，８ｂは、フラットパネル３を本体２にロックさせたりロック解除させたりするためのものであって、図５（ａ）〜（ｃ）に示すように、化粧パネル２ｂの吸い込み口２１付近に２つ設けられている。より具体的には、本実施形態に係るパネルロック機構８ａ，８ｂは、吸い込み口２１の長辺のうち、吹き出し口２２に近い側の長辺の両端部分に１つずつ設けられている。そして、各パネルロック機構８ａ，８ｂは、図８に示すように、それぞれ把持部８１ａ，８１ｂ、ロックモータ８２ａ，８２ｂ、ロックリミットスイッチ８３ａ，８３ｂを有している。このように、パネルロック機構８ａ，８ｂは、化粧パネル２ｂ上において設けられている位置が異なっているが、同様の構成を有する。そのため、以下では、図３を用いて、パネルロック機構８ａを例に取り説明する。
【００５０】
把持部８１ａは、フラットパネル３の回動軸３１を把持するためのものである。より具体的には、本実施形態に係る把持部８１ａは、ロックモータ８２ａの回転駆動により図３の矢印ＥまたはＦの方向に所定距離移動することができる。また、把持部８１ａは、フラットパネル３の回動軸３１に連結可能な連結部（図示せず）を有している。このような構成を有する把持部８１ａは、矢印Ｅの方向に移動すると、連結部がフラットパネル３の回動軸３１に連結し、フラットパネル３を本体２に対しロックさせることができる。逆に、把持部８１ａは、矢印Ｆの方向に移動すると、連結部がフラットパネル３の回動軸３１から離れ、フラットパネル３をロック解除の状態にすることができる。
【００５１】
ロックモータ８２ａは、把持部８１ａを移動させるための駆動源であって、ＣＷ（Clock Wise)方向またはＣＣＷ(Counter Clock Wise)方向に回転駆動することができる。ロックモータ８２ａの駆動制御は、後述する制御部１０により行われる。
【００５２】
ロックリミットスイッチ８３ａは、フラットパネル３がロック状態であるか否かを検知する。具体的に、本実施形態に係るロックリミットスイッチ８３ａは、図示しないギアを介してロックモータ８２ａと連結されており、ロックモータ８２ａがＣＷ方向またはＣＣＷ方向に回転駆動するのに伴い、把持部８１ａの移動方向である矢印Ｅまたは矢印Ｆに所定距離だけ移動することができる。また、ロックリミットスイッチ８３ａは、把持部８１ａとは直接連結されている。これにより、把持部８１ａは、ロックリミットスイッチ８３ａの移動と共に矢印Ｅまたは矢印Ｆの方向に移動し、フラットパネル３を本体２にロックしたりロック解除したりすることができる。
【００５３】
このようなロックリミットスイッチ８３ａは、矢印Ｅの方向に端まで移動した場合は、回動軸３１が把持部８１ａにより把持されたと判断し、フラットパネル３がロック状態となった旨を示すオン信号を出力する。逆に、ロックリミットスイッチ８３ａは、矢印Ｆの方向に端まで移動した場合は、把持部８１ａが回動軸３１から離れたと判断し、フラットパネル３がロック解除状態になった旨を示すオフ信号を出力する。
【００５４】
〔パネル昇降駆動部〕
パネル昇降駆動部９ａ，９ｂは、フラットパネル３自体を上昇または下降させるためのものであって、図５に示すように、本体２の化粧パネル２ｂにおける吸い込み口２１付近に２つ設けられている。より具体的には、パネル昇降駆動部９ａ，９ｂは、化粧パネル２ｂの短辺に沿って１つずつ設けられている。各パネル昇降駆動部９ａ，９ｂは、図８に示すように、それぞれワイヤ９１ａ，９１ｂ、昇降部９２ａ，９２ｂ及び位置検知カウンタリミットスイッチ９７ａ，９７ｂを有している。
【００５５】
各ワイヤ９１ａ，９１ｂの一端は、フラットパネル３に連結され、他端は、各昇降部９２ａ，９２ｂに連結されている。この２本のワイヤ９１ａ，９１ｂは、図１（ｃ）に示すように、フラットパネル３の手前側の端部３ａに近い部分、及びフラットパネル３の奥側の端部３ｂに近い部分を吊り上げる。
【００５６】
昇降部９２ａ，９２ｂは、ワイヤ９１ａ，９１ｂの巻き取り及び繰り出しを行う。尚、昇降部９２ａ及び昇降部９２ｂは、巻き取り等を行うワイヤが異なる他は、同様の構成を有する。そのため、以下では、昇降部９２ａの構成を例に取り説明する。昇降部９２ａは、図７に示すように、滑車９３、巻取り歯車９４、駆動歯車９５及び昇降モータ９６を含む。滑車９３は、滑車部９３ａとカム部９３ｂとが一体に成形されており、滑車部９３ａは、ワイヤ９１ａを支持すると共に、ワイヤ９１ａの移動に伴って回転する。カム部９３ｂは、小径曲面部分、大径曲面部分、及びこれらの両曲面部分を結ぶ平面部分とで構成される。巻取り歯車９４は、ワイヤ９１ａを巻き取るためのボビン９４ａと、歯車部９４ｂとを有しており、ボビン９４ａと歯車部９４ｂとは一体形成されている。駆動歯車９５は、巻取り歯車９４の歯車部９４ｂと噛み合い、巻取り歯車９４を回転させる。これにより、ワイヤ９１ａは、ボビン９４ａから繰り出されたりボビン９４ａに巻き取られたりすることができる。昇降モータ９６は、駆動歯車９５を回転駆動させるためのステッピングモータである。
【００５７】
位置検知カウンタリミットスイッチ９７ａ，９７ｂは、ワイヤ９１ａ，９１ｂの繰り出しに応じてカウンタ値を増加させる。ここで、位置検知カウンタリミットスイッチ９７ａ，９７ｂは、同様の構成を有するため、位置検知カウンタリミットスイッチ９７ａの構成を例に取る。位置検知カウンタリミットスイッチ９７ａは、図７に示すように、レバー９８ａを有するマイクロスイッチであって、レバー９８ａが押されることでオンする。レバー９８ａは、常に滑車９３のカム部９３ｂと接触しており、カム部９３ｂとの接触部分が小径曲面部分から大径曲面部分に、または大径曲面部分から小径曲面部分となった時に押される。
【００５８】
〔制御部〕
制御部１０は、ＣＰＵ及びメモリからなるマイクロコンピュータで構成され、図８に示すように、主として、収納検知リミットスイッチ４ａ，４ｂ、受信部６、運転状態表示部７、パネルロック機構８ａ，８ｂ、パネル昇降駆動部９ａ，９ｂ、ファンモータ２３ａ、フィルタ清掃駆動部２６ａ及びパネル回動用モータ３２と接続されており、接続された各機器の制御を行う。例えば、制御部１０は、受信部６がリモートコントローラから受信した空調運転の開始指示等に基づいて、冷房運転や暖房運転等の運転制御、ファンモータ２３ａの回転駆動制御等を行う。また、制御部１０は、フラットパネル３の上昇動作中にフィルタ清掃運転の開始指示を受信部６が受信した場合、フラットパネル３の上昇動作が完了した後にフィルタ清掃運転が開始されるように、フィルタ清掃駆動部２６ａを制御する。特に、本実施形態に係る制御部１０は、室内機１の電源が投入された場合、その時々のフラットパネル３の状態に応じてフラットパネル３の動作を制御する。また、制御部１０は、パネルロック機構８ａ，８ｂの動作制御や運転状態表示部７の表示制御を行う。このような動作を行うため、制御部１０は、パネル動作制御部１１、ロック機構制御部１２及び表示制御部１３として機能する。
【００５９】
〔パネル動作制御部〕
パネル動作制御部１１は、フラットパネル３の動作を制御する。即ち、パネル動作制御部１１は、パネル昇降駆動部９ａ，９ｂの制御を行い、パネル昇降駆動部９ａ，９ｂの昇降部９２ａ，９２ｂに、ワイヤ９１ａ，９１ｂの繰り出し及び巻き取りを行わせる。
【００６０】
以下に、本実施形態に係るパネル動作制御部１１の制御内容について、より詳細に説明する。
【００６１】
パネル動作制御部１１は、フラットパネル３のロック解除状態時に室内機１の電源が投入された場合、受信部６がフラットパネル３の上昇指示を受け付けることでフラットパネル３が上昇動作を行うように、パネル昇降駆動部９ａ，９ｂを制御する。即ち、パネル動作制御部１１は、フラットパネル３のロック解除状態時に室内機１の電源が投入された場合には、イニシャライズ処理をパネル昇降駆動部９ａ，９ｂに行わせないようにすると共に、リモートコントローラ３を介してフラットパネル３の上昇指示があった場合に、はじめてフラットパネル３の上昇指示をパネル昇降駆動部９ａ，９ｂに出力する。ここで、イニシャライズ処理とは、室内機１の電源投入をトリガとして、自動的にフラットパネル３が化粧パネル２ｂの吸い込み口２１まで上昇する処理である。これにより、パネル昇降駆動部９ａ，９ｂの昇降部９２ａ，９２ｂは、利用者によりリモートコントローラを介してなされるフラットパネル３の上昇指示がなければ、ワイヤ９１ａ，９１ｂを繰り出すことがないため、室内機１の電源投入時にロック解除状態を採るフラットパネル３は、自動的には上昇しない。
【００６２】
ここで、パネル動作制御部１１は、フラットパネル３の上昇動作においては、フラットパネル３が図２の位置Ｐに達し、収納検知リミットスイッチ４ａ，４ｂがオン信号を出力するまで、パネル昇降駆動部９ａ，９ｂの昇降部９２ａ，９２ｂに、ワイヤ９１ａ，９１ｂの巻き取りを行わせる。そして、収納検知リミットスイッチ４ａ，４ｂがオン信号を出力すると、パネル動作制御部１１は、昇降部９２ａ，９２ｂによるワイヤ９１ａ，９１ｂの巻き取りを停止させる。このように、パネル動作制御部１１は、収納検知リミットスイッチ４ａ，４ｂの出力に基づいてフラットパネル３が十分に上昇したか否かを判断し、フラットパネル３の動作を制御する。
【００６３】
また、パネル動作制御部１１は、フラットパネル３のロック状態時に室内機１の電源が投入された場合、フラットパネル３の端部３ｂが所定距離下降するように（図１（ｂ））、パネル昇降駆動部９ａ，９ｂを制御する。そして、パネル動作制御部１１は、フラットパネル３の端部３ｂが所定距離下降した後、フラットパネル３の端部３ｂが上昇するように、パネル昇降駆動部９ａ，９ｂを制御する。即ち、パネル動作制御部１１は、フラットパネル３のロック状態時に室内機１の電源が投入された場合には、ロック機構制御部１２によりフラットパネル３のロックを解除させることなく、ロック状態のままのフラットパネル３を、一旦吸い込み口２１を開く方向に回動させてから（図１（ｂ））、吸い込み口２１を閉じる方向に回動させる（図１（ａ））。これにより、パネル昇降部９ｂ，９ｂの昇降部９２ａ，９２ｂは、先ずはワイヤ９１ａ，９１ｂの繰り出しを行うため、フラットパネル３の端部３ｂが下降する。次いで、フラットパネル３の端部３ｂの下降した距離が所定距離に達すると（即ち、フラットパネル３の回動角度が所定角度に達すると）、昇降部９２ａ，９２ｂは、ワイヤ９１ａ，９１ｂの巻き取りを行うため、フラットパネル３の端部３ｂが上昇する。
【００６４】
ここで、フラットパネル３の端部３ｂが下降する際の“所定距離”（所定角度）について、図２を用いて説明する。室内機１の電源投入時、フラットパネル３は位置Ｐにあって吹き出し口２１を閉じており、収納検知リミットスイッチ４ａ，４ｂがオン信号を出力している状態であると考える。この場合において、フラットパネル３が回動、即ちフラットパネル３の端部３ｂが下降してフラットパネル３の端部３ｂの位置が位置Ｐからはずれると（位置Ｒ）、収納検知リミットスイッチ４ａ，４ｂの出力は、オン信号からオフ信号へと変化する。本実施形態に係る所定距離は、このように収納検知リミットスイッチ４ａ，４ｂの出力がオン信号からオフ信号へと変化するまでの間にフラットパネル３の端部３ｂが下降する距離に相当する。本実施形態では、具体的には図２に示すように、フラットパネル３の端部３ｂが位置Ｐから位置Ｒに至るまでの距離を、“所定距離”（所定角度）という。例えば、メンテナンス時にフラットパネル３が昇降可能な距離を３ｍとした場合、所定距離は、例えば０．３ｍであることができる。このように、本実施形態に係る室内機１は、フラットパネル３のロック状態時に室内機１の電源が投入された場合、室内機１の電源投入をトリガとしてフラットパネル３を直ちに上昇させるのではなく、フラットパネル３の端部３ｂ一旦下降させる。これにより、電源投入時から既に収納検知リミットスイッチ４ａ，４ｂがオン信号を出力している場合であっても、パネル動作制御部１１は、フラットパネル３が上昇するイニシャライズ処理が完了したか否かを、収納検知リミットスイッチ４ａ，４ｂの出力の変化（具体的には、オフ信号からオン信号への変化）に基づいて確実に判断することができる。
【００６５】
尚、所定距離下降後にフラットパネル３の端部３ｂが上昇する動作においては、パネル動作制御部１１は、電源投入時にフラットパネル３がロック解除状態であった場合と同様、収納検知リミットスイッチ４ａ，４ｂの出力に基づいてフラットパネル３の動作制御を行う。即ち、パネル動作制御部１１は、フラットパネル３の端部３ｂが図２の位置Ｐに達し、収納検知リミットスイッチ４ａ，４ｂがオン信号を出力するまで、昇降部９２ａ，９２ｂにワイヤ９１ａ，９１ｂの巻き取りを行わせる。そして、収納検知リミットスイッチ４ａ，４ｂがオン信号を出力すると、パネル動作制御部１１は、昇降部９２ａ，９２ｂによるワイヤ９１ａ，９１ｂの巻き取りを停止させる。
【００６６】
ここで、上述したように、フラットパネル３がロック状態及びロック解除状態のいずれかの状態であるのかをパネル動作制御部１１が判断する際には、パネルロック機構８ａ，８ｂにおけるロックリミットスイッチ８３ａ，８３ｂの出力が用いられる。具体的には、パネル動作制御部１１は、ロックリミットスイッチ８３ａ，８３ｂが共にオン信号を出力している場合には、フラットパネル３がロック状態を採っているものと判断する。逆に、パネル動作制御部１１は、ロックリミットスイッチ８３ａ，８３ｂが共にオフ信号を出力している場合には、フラットパネル３がロック解除状態を採っているものと判断する。また、ロックリミットスイッチ８３ａ，８３ｂのいずれか一方がオン信号を出力し、他方がオフ信号を出力している場合は、パネル動作制御部１１は、フラットパネル３が図４に示すような異常状態であるものと判断する。この場合、パネル動作制御部１１は、フラットパネル３が完全にロック解除状態を採っているわけではないことから、ロック状態であると判断した時と同様の制御を行う。
【００６７】
また、パネル動作制御部１１は、風量に基づいてフラットパネル３の開度を補正する。例えば、パネル動作制御部１１は、風量が所定タップより高い程、フラットパネル３の回動角度を大きくする。これにより、室内機１は、室内機１自体のデザイン性が損なわれることなく、空調運転を行うことができる。
【００６８】
〔ロック機構制御部〕
ロック機構制御部１２は、パネルロック機構８ａ，８ｂの制御を行う。例えば、ロック機構制御部１２は、パネルロック機構８ａ，８ｂのロックリミットスイッチ８３ａ，８３ｂの出力に基づいてフラットパネル３の状態を確認する。また、ロック機構制御部１２は、ロックリミットスイッチ８３ａ，８３ｂの出力に基づいて、フラットパネル３が確実に本体２にロックされるまで、またはフラットパネル３が確実にロック解除の状態となるまで、ロックモータ８２ａ，８２ｂを回転駆動させる。
【００６９】
より具体的には、ロック機構制御部１２は、フラットパネル３がロック解除状態時に空調運転の指示がなされた場合には、先ずは収納リミットスイッチ４ａ，４ｂの出力を確認する。そして、収納リミットスイッチ４ａ，４ｂの出力がオン信号であれば、ロック機構制御部１２は、ロックリミットスイッチ８３ａ，８３ｂの出力をモニターしながら、フラットパネル３が本体２にロックされるように、ロックモータ８２ａ，８２ｂを回転駆動させる。
【００７０】
〔表示制御部〕
表示制御部１３は、運転状態表示部７の制御を行う。
【００７１】
例えば、表示制御部１３は、ロックリミットスイッチ８３ａ，８３ｂがオン信号を出力し、収納検知リミットスイッチ４ａ，４ｂがオフ信号を出力している状態で（即ち、図１（ｂ））、空調運転が行われている時には、運転状態表示部７に緑色を点灯させる。表示制御部１３は、ロックリミットスイッチ８３ａ，８３ｂ及び収納検知リミットスイッチ４ａ，４ｂが共にオン信号を出力している状態で（即ち、図１（ａ））、フィルタ清掃運転が行われている時には、運転状態表示部７に橙色を点灯させる。更に、表示制御部１３は、フラットパネル３の昇降動作が禁止されている状態の時に、受信部６がフラットパネル３の昇降指示を受信した場合、運転状態表示部７に赤色を点灯させる。
【００７２】
また、表示制御部１３は、ロックリミットスイッチ８３ａ，８３ｂがオフ信号を出力している状態または収納検知リミットスイッチ４ａ，４ｂがオフ信号を出力している状態で（即ち、図１（ｂ）や図１（ｃ）の状態）、空調運転の開始指示を受信部６が受信した場合には、運転状態表示部７を赤色で点滅させる。
【００７３】
（２）動作
次に、本実施形態に係る室内機１の特徴的な動作について説明する。図９は、本実施系形態に係る室内機１の特徴的な動作を説明するためのフローチャートである。
【００７４】
ステップＳ１〜Ｓ２：室内機１の電源が投入されると（Ｓ１のＹｅｓ）、パネル動作制御部１１は、フラットパネル３がロック状態及びロック解除状態のいずれの状態であるかを、ロックリミットスイッチ８３ａ，８３ｂの出力に基づいて判断する（Ｓ２）。
【００７５】
ステップＳ３〜Ｓ４：ステップＳ２において、フラットパネル３がロック解除状態である場合には（Ｓ２のＹｅｓ）、パネル動作制御部１１は、受信部６が上昇指示を受信するまでは（Ｓ３）フラットパネル３を動かさないように、パネル昇降駆動部９ａ，９ｂを制御する。リモートコントローラを介してフラットパネル３の上昇指示がなされた場合には（Ｓ３のＹｅｓ）、パネル動作制御部１１は、フラットパネル３が上昇を開始するように、パネル昇降駆動部９ａ，９ｂを制御する（Ｓ４）。これにより、パネル昇降制御部９ａ，９ｂの昇降部９２ａ，９２ｂによってワイヤ９１ａ，９１ｂが巻き取られ、フラットパネル３は、上昇するようになる。
【００７６】
ステップＳ５：ステップＳ２において、フラットパネル３がロック状態である場合には（Ｓ２のＮｏ）、パネル動作制御部１１は、フラットパネル３の端部３ｂが下降を開始するように、パネル昇降駆動部９ａ，９ｂを制御する（Ｓ５）。これにより、パネル昇降制御部９ａ，９ｂの昇降部９２ａ，９２ｂによってワイヤ９１ａ，９１ｂが繰り出され、フラットパネル３は、端部３ｂが吸い込み口２１の下方へ移動するように回動するようになる。
【００７７】
ステップＳ６〜Ｓ７：パネル動作制御部１１は、フラットパネル３の端部３ｂが所定距離下降するまで、フラットパネル３の端部３ｂが下降するように、パネル昇降制御部９ａ，９ｂを制御する。より具体的には、パネル動作制御部１１は、ステップＳ１の電源投入の際にはフラットパネル３の端部３ｂが位置Ｐに位置していたためにオン信号を出力していた収納検知リミット４ａ，４ｂが、オフ信号を出力するようになるまで（Ｓ６）、フラットパネル３を回動させてフラットパネル３の端部３ｂを下降させる。収納検知リミットスイッチ４ａ，４ｂの出力がオン信号からオン信号へと変化した場合（Ｓ６のＹｅｓ）、パネル動作制御部１１は、フラットパネル３の端部３ｂが下降を停止して上昇を行うように、パネル昇降制御部９ａ，９ｂを制御する（Ｓ７）。即ち、収納検知リミットスイッチ４ａ，４ｂの出力が変化すると、昇降部９２ａ，９２ｂは、ワイヤ９１ａ，９１ｂの繰り出しをやめて巻き取りを行う。これにより、フラットパネル３は、ステップＳ５とは逆に、端部３ｂが吸い込み口２１方向へ移動するように回動するようになる。
【００７８】
ステップＳ８〜Ｓ９：ステップＳ４及びステップＳ７において、フラットパネル３の端部３ｂが位置Ｐに達したために収納検知リミットスイッチ４ａ，４ｂがオン信号となった場合（Ｓ８のＹｅｓ）、パネル動作制御部１１は、フラットパネル３の上昇動作を停止させる。これにより、昇降部９２ａ，９２ｂは、ワイヤ９１ａ，９１ｂの繰り上げ動作を停止する。そして、フラットパネル３が上昇動作を停止した後、室内機１は、例えば空調運転等の次の動作を行う（Ｓ９）。
【００７９】
（３）効果
（Ａ)
本実施形態に係る室内機１によると、フラットパネル３がロック解除状態であり室内機１の電源が投入されると、フラットパネル３は、室内機１の利用者によりリモートコントローラ等を介してなされたフラットパネル３の上昇指示に基づいて上昇する。従って、上昇するフラットパネル３に利用者が接触する危険性を回避することができる。
【００８０】
（Ｂ）
上記効果（Ａ）の動作が行われる場合、パネル動作制御部１１は、収納検知リミットスイッチ４ａ，４ｂの出力に基づいてフラットパネル３の上昇動作を制御する。即ち、収納検知リミットスイッチ４ａ，４ｂの出力がオフ信号のままである時は、パネル動作制御部１１は、フラットパネル３が十分に上昇していないと判断し、フラットパネル３の上昇を継続させる。そして、パネル動作制御部１１は、収納検知リミットスイッチ４ａ，４ｂの出力がオフ信号からオン信号に切り替わった場合、フラットパネル３が十分に上昇したと判断し、フラットパネル３の上昇動作を停止させる。これにより、効果（Ａ）の動作が行われる場合、フラットパネル３は、確実に位置Ｐに上昇することができる。
【００８１】
（Ｃ）
また、上記効果（Ａ）の動作が行われる場合、フラットパネル３は、本体２の化粧パネル２ｂ付近に至るまで上昇することができる。
【００８２】
（Ｄ）
また、本実施形態に係る室内機１によると、フラットパネル３が本体２にロックされた状態で室内機１の電源が投入された場合、先ずはフラットパネル３の端部３ｂが所定距離下降する。その後、フラットパネル３の端部３ｂは、上昇する。即ち、フラットパネル３は、本体２の吸い込み口２１を開放するような動作を行った後、吸い込み口２１を閉じるような動作を行う。従って、例えばフラットパネル３が本体２に完全に収納された状態であって、フラットパネル３の端部３ｂの上昇動作が完了しないためにフラットパネル３が次の動作（例えばフラットパネル３の下降動作等）に移行できないような場合を防ぐことができる。
【００８３】
（Ｅ）
上記効果（Ｄ）の動作が行われる場合、フラットパネル３の端部３ｂは、収納検知リミットスイッチ４ａ，４ｂの出力がオン信号からオフ信号に変化する分（即ち、所定距離）下降する。従って、フラットパネル３の端部３ｂは、確実に所定距離下降することができる。
【００８４】
（Ｆ）
尚、上記効果（Ｄ）の動作が行われる場合、パネル動作制御部１１は、収納検知リミットスイッチ４ａ，４ｂの出力に基づいてフラットパネル３の上昇動作を制御する。即ち、収納検知リミットスイッチ４ａ，４ｂの出力がオフ信号のままである時は、パネル動作制御部１１は、フラットパネル３の端部３ｂが十分に上昇していないと判断し、フラットパネル３の端部３ｂの上昇を継続させる。そして、パネル動作制御部１１は、収納検知リミットスイッチ４ａ，４ｂの出力がオフ信号からオン信号に切り替わった場合、フラットパネル３の端部３ｂが十分に上昇したと判断し、フラットパネル３の端部３ｂの上昇動作を停止させる。これにより、効果（Ｄ）の動作が行われる場合、フラットパネル３の端部３ｂは、確実に位置Ｐに上昇することができる。
【００８５】
（Ｇ）
また、位置Ｐが本体２の下面である化粧パネル２ｂ付近であることから、上記効果（Ｄ）の動作が行われる場合、パネル動作制御部１１は、フラットパネル３の端部３ｂを位置Ｐよりも下に確実に下降させることができると共に、位置Ｐまで確実に上昇させることができる。
【００８６】
＜その他の実施形態＞
（ａ）
上記実施形態では、運転状態表示部７がＬＥＤからなる場合について説明した。しかし、運転状態表示部７は、その時々の室内機１の運転状態を利用者に報知することができればよいため、ＬＥＤからなる構成に限定されない。運転状態表示部７のその他の構成としては、液晶や、液晶とＬＥＤとの組み合わせ、ＬＥＤと音との組み合わせ等が挙げられる。
【００８７】
（ｂ）
上記実施形態では、パネルロック機構８ａ、８ｂが、把持部８１ａ，８１ｂ，ロックモータ８２ａ，８２ｂ及びロックリミットスイッチ８３ａ，８３ｂで構成される場合について説明した。しかし、フラットパネル３を本体２にロックまたはロック解除するための機構の構成は、これに限定されず、どのような構成であってもよい。
【００８８】
（ｃ）
上記実施形態では、フラットパネル３の回動軸３１が本体２の化粧パネル２ｂ側に設けられている場合について説明した。しかし、回動軸３１は、化粧パネル２ｂ側ではなく、フラットパネル３側に設けられていてもよい。
【００８９】
（ｄ）
上記実施形態では、第１検知部〜第３検知部全てが、収納検知リミットスイッチ４ａ，４ｂに相当する場合について説明した。しかし、第１検知部〜第３検知部は、それぞれ別々に備えられていても良い。
【００９０】
また、上記実施形態では、第１所定位置〜第３所定位置が、位置Ｐである場合について説明した。しかし、第１所定位置〜第３所定位置は、互いに異なる位置であってもよい。
【００９１】
（ｅ）
上記実施形態では、フラットパネル３の上昇動作が、収納検知リミットスイッチ４ａ，４ｂの出力が変化するまで継続する場合について説明した。しかし、例えば収納検知リミットスイッチ４ａ，４ｂが故障している等して出力が変化しない場合には、パネル動作制御部１１は、収納検知リミットスイッチ４ａ，４ｂの出力変化をトリガとしてフラットパネル３の上昇を停止できなくなってしまう。そこで、このような場合を想定し、パネル動作制御部１１は、例えばフラットパネル３が上昇開始してから所定時間経過した場合にはフラットパネル３の上昇を停止させる制御を行っても良い。また、昇降部９２ａ，９２ｂにおける位置検知カウンタリミットスイッチ９７ａ，９７ｂが、ワイヤ９１ａ，９１ｂの繰り出しに応じてカウンタ値を増加させ、ワイヤ９１ａ，９１ｂの巻き取りに応じてカウンタ値を減少させるタイプであれば、パネル動作制御部１１は、カウンタ値が所定値となった場合に、フラットパネル３の上昇動作を停止させてもよい。
【産業上の利用可能性】
【００９２】
本発明に係る室内機は、上昇するパネルに利用者が接触する危険性を回避することができるという効果を有し、天井設置型の空気調和装置の室内機に適用することができる。
【図面の簡単な説明】
【００９３】
【図１】（ａ）本実施形態に係る空気調和装置の室内機の斜視図であって、フラットパネルが本体にロックされていると共に吸い込み口を閉じている状態を示す図。
【００９４】
（ｂ）本実施形態に係る空気調和装置の室内機の斜視図であって、フラットパネルが本体にロックされていると共に吸い込み口を開放している状態を示す図。
【００９５】
（ｃ）本実施形態に係る空気調和装置の室内機の斜視図であって、フラットパネルが本体に対しロック解除されており、室内機本体の下方に位置している状態を示す図。
【図２】本実施形態に係る室内機本体の内部の構成を示す概略図。
【図３】本実施形態に係るパネルロック機構とその付近の構成を示す概略図。
【図４】本実施形態に係る空気調和装置の室内機の斜視図であって、フラットパネルの一部分が本体にロックされている異常状態を示す図。
【図５】（ａ）本実施形態に係る化粧パネル付近の構成を本体内部側から見た場合の概略図であって、パネルがロック状態を採ると共に吸い込み口を閉じている状態を示す図。
【００９６】
（ｂ）本実施形態に係る化粧パネル付近の構成を本体内部側から見た場合の概略図であって、パネルがロック状態を採ると共に吸い込み口を開放している状態を示す図。
【００９７】
（ｃ）本実施形態に係る化粧パネル付近の構成を本体内部側から見た場合の概略図であって、パネルがロック解除状態を採ると共に吸い込み口の下方に位置している状態を示す図。
【図６】（ａ）利用者が空調運転指示を行う際に用いられるリモートコントローラの外観図。
【００９８】
（ｂ）利用者がフラットパネル３の昇降指示を行う際に用いられるリモートコンローラの外観図。
【図７】本実施形態に係るパネル昇降駆動部の構成を示す概略図。
【図８】本実施形態に係る室内機を構成する各機器を模式的に示すブロック図。
【図９】本実施形態に係る室内機の動作を説明するための図であって、室内機の電源が投入された時の室内機の動作を示すフローチャート。
【符号の説明】
【００９９】
１  室内機
２  本体
２１  吸い込み口
２２  吹き出し口
２３  送風ファン
２４  室内熱交換器
２５  フィルタ
２６  フィルタ清掃機構
３  フラットパネル
３ａ，３ｂ  フラットパネルの端部
３１  回動軸
３２  パネル回動用モータ
４ａ，４ｂ  収納検知リミットスイッチ
５  水平フラップ
６  受信部
７  運転状態表示部
８ａ，８ｂ  パネルロック機構
８１ａ，８１ｂ  把持部
８２ａ，８１ｂ  ロックモータ
８３ａ，８１ｂ  ロックリミットスイッチ
９ａ，９ｂ  パネル昇降駆動部
９１ａ，９１ｂ  ワイヤ
９２ａ，９２ｂ  昇降部
９７ａ，９７ｂ  位置検知カウンタリミットスイッチ
１０  制御部
１１  パネル動作制御部
１２  ロック機構制御部
１３  表示制御部
【図１】
0004433059.tif 000002
【図２】
0004433059.tif 000003
【図３】
0004433059.tif 000004
【図４】
0004433059.tif 000005
【図５】
0004433059.tif 000006
【図６】
0004433059.tif 000007
【図７】
0004433059.tif 000008
【図８】
0004433059.tif 000009
【図９】
0004433059.tif 000010